(57)【特許請求の範囲】
【請求項１】
展示品を出し入れする開口部と前記開口部を閉鎖する防盗手段とを有する展示装置と、前記展示装置と結合され該展示装置の設置場所を含んだ警備領域を監視する警備装置と、前記警備装置を警戒開始または警戒解除に設定するモード設定器から構成される警備システムにおいて、
前記展示装置は、前記防盗手段の閉鎖を検出していると防盗設定確認信号を前記警備装置に出力する確認手段を有し、前記警備装置は、前記モード設定器から警戒開始の設定操作をしたときに、前記防盗設定確認信号を受信していないと警戒開始をせずに前記防盗手段が閉鎖されていない旨を表示することを特徴とした警備システム。
【発明の詳細な説明】
【０００１】
【発明の属する技術分野】
本発明は、展示装置と結合された警備システムに関し、特に、閉店時に展示装置の防盗手段の設定忘れを防止した警備システムに関する。また、閉店時に展示装置の防盗手段を設定する警備システムに関する。
【０００２】
【従来の技術】
従来より、時計や貴金属等を展示する透明ガラスのケースを有する展示装置が貴金属店などで多く使われている。近年、閉店後に貴金属店等に侵入し、展示装置の透明ガラスを破壊し、素早く時計や貴金属などを盗むという事件が多くなってきた。このため、特公平４−６４２５１号公報や特開平８−１９６３９７号公報等に記載されているような防盗手段を施した展示装置が使われるようになってきた。つまり、従来の展示装置では、開店中は透明ガラスによって客が展示品を鑑賞できるように展示し、閉店時には展示品を載置した展示台を下降させ、展示品を収納部へ格納し、賊から展示品を隠蔽することにより防盗性を高めている。そして、この展示品の格納動作は、店員が閉店後に行うようにしていた。
【０００３】
【発明が解決しようとする課題】
しかしながら、閉店後に店員が、防盗手段の設定をうっかりして忘れたり、面倒がゆえに設定しなかったりすると、防盗手段を施した展示装置を使用していながら防盗手段が全く機能せず、時計や貴金属が盗まれてしまうという問題があった。また、従来の展示装置では、展示装置の防盗手段を確実に設定したか否かをチェックすることができなかった。
【０００４】
本発明は、上述した問題点を解決するためになされたもので、展示装置と結合された警備システムにおいて、警備システムの警戒セットの操作を行ったとき、展示装置の防盗手段が設定されていると、警戒セットに設定できる警備システムを提供することを目的としている。
【０００６】
【課題を解決するための手段】
この目的を達成するために、本発明は、次のような構成を採用したものである。すなわち、展示品を出し入れする開口部と前記開口部を閉鎖する防盗手段とを有する展示装置と、前記展示装置と結合され該展示装置の設置場所を含んだ警備領域を監視する警備装置と、前記警備装置を警戒開始または警戒解除に設定するモード設定器から構成される警備システムにおいて、  前記展示装置は、前記防盗手段の閉鎖を検出していると防盗設定確認信号を前記警備装置に出力する確認手段を有し、前記警備装置は、前記モード設定器から警戒開始の設定操作をしたときに、前記防盗設定確認信号を受信していないと警戒開始をせずに前記防盗手段が閉鎖されていない旨を表示する警備システムを提供する。
【０００８】
【作用】
この発明によれば、警備システムの日常の操作である警戒セットの操作時に展示装置の防盗手段が閉鎖されていないと警戒開始に設定されず、防盗手段が閉鎖されていない旨を店員に知らせることができる。これにより、本発明に係る警備システムでは、展示装置の防盗手段が閉鎖されずに警戒開始されることがなくなるという効果がある。したがって、店員が展示装置の防盗手段を閉鎖させずに、帰宅することを防ぐことが可能となる。
【００１０】
【発明の実施の形態】
【実施例】
以下、本発明の実施例を図面を参照して説明する。先ず、図１及び図２について説明する。図１は本発明の一実施例である警備システムのブロック図である。また、図２は、店員が操作する側から見た展示装置の正面図である。
【００１１】
警備領域内には、扉・窓・シャッタ等が開放を検出するマグネットセンサや人体が発する赤外線を検出する赤外線センサなどの侵入センサ・ガス漏れ検知器や火災検知器などの防災センサ等の複数のセンサ１と、警備領域の利用者が当該警備領域を所望する警備領域を警戒セット又は警戒解除に設定するモード設定器３と、展示品を展示する展示装置７と、これらの機器からの信号に基づき警備領域を監視する警報装置２が適宜配設されている。これらの機器は、この種の警備システムで汎用される周知のもので構成される。
【００１２】
センサ１にて検出されたこれらの検知信号は、警報装置２に送出される。また、モード設定器３は、例えばスイッチ、テンキー又はカード（例えば、磁気カード、ＩＣカードなど）とカードリーダーなどによって構成され、警報装置２に警戒セット信号又は警戒解除信号を送出する。
【００１３】
前記警報装置２では、センサ１の検知信号を受信し異常と判定したとき又は新たな警備モードが設定されたときには通信回線４および交換機５を介して、当該異常信号や新たに設定された現在の警備モード信号を遠隔の警備センタ６に送出する。
【００１４】
展示装置７は、内部を鑑賞できるガラスにて形成されているショーケース７１と閉店時に展示品を収納する収納部７２から構成している。
【００１５】
ショーケース７１は、例えば引き戸ガラス８ａ、８ｂをどちらか一方に開き、開口部９ａ、９ｂを形成させて展示品を図示しない展示台に出し入れすることができる。また、引き戸ガラス８ａ、８ｂを片側にスライドすると、開口部９ａ、９ｂが形成される。また、この開口部９ａ、９ｂが完全に閉鎖されると、この引き戸ガラス８ａ、８ｂを施錠するためプッシュロック錠１１ａが取り付けられている。なお、開口部の形成及び閉鎖を行えるものであれば、引き戸ガラス８ａ、８ｂに限られることなく、スイング扉や金属板などのパネル板としてもよい。
【００１６】
収納部７２は、展示品を載置した展示台を閉店時に下降させる図示しない操作部を有した操作扉１０ａと、展示台の昇降機のメンテナンスを行うとき開放するメンテナンス扉１０ｂとを有している。従って、操作扉１０ａ及びメンテナンス扉１０ｂのスイング扉を手前に引くと、開口部９ｃ、９ｄが形成される。
【００１７】
また、、操作扉１０ａとメンテナンス扉１０ｂには各々シリンダー錠１１ｂ、１１ｃが取り付けられている。
【００１８】
本実施例にいう防盗手段とは、引き戸ガラス８ａ、８ｂ、操作扉１０ａ及びメンテナンス扉１０ｂと各々設けられた錠１１ａ、１１ｂ、１１ｃとから構成される。
【００１９】
確認手段１２は、展示装置７の開口部９ａ、９ｂ、９ｃ、９ｄが引き戸ガラス８ａ、８ｂ、操作扉１０ａ及びメンテナンス扉１０ｂによって閉鎖され、各々設けられた錠１１ａ、１１ｂ、１１ｃによって施錠されると図示しない各々配設されたリミットスイッチがＯＮ動作し防盗設定確認信号を出力する。
【００２０】
次に、図３を参照して、警報装置２を説明する。図３は、警報装置２の機能ブロック図である。
【００２１】
警報装置２は、確認手段１２によって防盗設定確認信号が入力される展示装置インターフェース２１と、警備領域内のセンサ１による検知信号を入力するセンサインターフェース２２と、警備領域内の正常／異常を判断したり、モード設定器３の設定操作に応じて所望の警備モードに設定したりする制御手段２３と、異常と判断されたとき異常信号又は新たに警備モードが設定されたときの警備モード信号を遠隔の警備センタ６に送出する送信手段２４と、異常と判断されたとき異常表示を行ったり現在の警備モードを表示する表示手段２５と、上述の正常／異常の判断機能やモード設定の判断機能などのプログラムが予め組み込まれたＲＯＭ２６と、現状の警備モードなどを一時記憶するＲＡＭなどから構成される。
【００２２】
次に、図４を用いて本発明の一実施例である警備システムの動作を説明する。警備領域を最終に退出する最終退出者は、モード設定器３により警戒セットの操作を行う（ステップＳ１）。
【００２３】
警戒セット操作に基づいて警備領域内の現状の保安状態即ち扉・窓などが完全に閉鎖されているか否かを判断する（ステップＳ２）。
【００２４】
保安状態が完全であると判断されると、展示装置７の閉鎖確認手段１２から防盗設定確認信号を受信しているか否かを判断する（ステップＳ３）。
【００２５】
防盗設定確認信号を受信しているときには、展示装置７が完全に防御されていることを示している。そして、防盗設定確認信号を受信しているときには、警戒セットに設定し（ステップＳ４）、警戒セット動作を終了する。また、ステップＳ２において保安状態が不完全であったり、ステップＳ３で防盗設定確認信号を受信していない、即ち展示装置７の防盗手段が設定されずに不完全なまま放置されている場合、その旨を表示手段２５に表示する（ステップＳ５）。
【００２６】
最終退出者は、表示に従い保安状態を完全にしたり展示装置７の防盗手段を完全に設定する。そして、最終退出者は、再度ステップＳ１にて警戒セット操作を行う。
【００２７】
また、モード設定器３が屋内に設置されているときには、最終退出者が侵入信号を発生させずに、退出できるよう警戒セットの設定とともにディレータイマが動作することは言うまでもない。
【００２８】
次に、図５及び図６を参照して第二の実施例について説明する。図５は本発明の第二の実施例である警備システムのブッロック図である。また図６は本発明の第二実施例である警備システムの動作を示す図である。
【００２９】
基本構成は第一の実施例と同じ構成をなすもので、展示装置７の開口部９ａ、９ｂ、９ｃ、９ｄを隠蔽閉鎖する手段が例えば電気で動作する電動シャッタや電気錠などで構成されており、展示装置７内又は別体として駆動手段１３が設けられている。ステップＳ１１とステップＳ１２は、図３のステップＳ１とステップＳ２と同じである。ステップＳ１３では、保安状態が完全であると判断されると、警戒セットに設定される。
【００３０】
ステップＳ１４でこの警戒セットの設定に応じて制御手段２３から図示しないインターフェースを介して電動シャッタや電気錠を駆動する防盗設定信号を駆動手段１３へ送出する。駆動手段１３は、防盗設定信号を受信すると電動シャッタ等で開口部を閉鎖し電気錠を施錠する。こうして、警戒セットの動作を終了する。なお、ステップＳ１５は図４のステップＳ５と同じである。また、第一の実施例と同様に防盗手段の設定確認信号を受信するようにしてもよい。
【００３１】
本実施例では、防盗手段を扉の閉鎖及び施錠で説明したが、展示品の展示台が降下し、ショーケースと収納部との間を物理的扉等で閉鎖するものであっもよい。
【００３２】
【発明の効果】
第一の発明によれば、警備システムの日常の操作である警戒セット時に展示装置の防盗手段の設定の有無を最終退出者にて確認できるので、展示装置の防盗手段の設定をしないで警備領域が無人になることを防ぐことが可能となる。
【００３３】
第二の発明によれば、警備システムの警戒セット操作に基づいて展示装置の防盗手段が設定されるので、確実に防盗手段を設定できるという効果がある。
【００３４】
【図面の簡単な説明】
【図１】第一の実施例に係る警備システムのブロック図
【図２】ショーケースの外観図
【図３】警報装置の機能ブロック図
【図４】第一の実施例の動作フロー
【図５】第二の実施例に係る警備システムのブロック図
【図６】第二の実施例の動作フロー
【符号の説明】
１…センサ
２…警報装置
３…モード設定器
４…通信回線
５…交換機
６…警備センタ
７…展示装置
７１…ショーケース
７２…収納部
８ａ、８ｂ…引き戸ガラス
９ａ、９ｂ、９ｃ、９ｄ…開口部
１０ａ…操作扉
１０ｂ…メンテナンス扉
１１ａ、１１ｂ、１１ｃ…錠
１２…確認手段
１３…駆動手段
【図１】
0003751428.tif 000002
【図２】
0003751428.tif 000003
【図３】
0003751428.tif 000004
【図４】
0003751428.tif 000005
【図５】
0003751428.tif 000006
【図６】
0003751428.tif 000007